(57)【要約】【課題】簡易な操作で報知音を記憶する報知時計を提供する。【解決手段】携帯電話３００から転送される第１の報知音用データを記憶部１１に記憶する報知時計４００であって、予め記憶部１１に記憶される第２の報知音用データを報知音として出力している間に、第１の報知音用データが転送された場合に、第１の報知音用データを記憶部１１に記憶する制御部１７を有することを特徴としている。これにより、報知時計４００から報知音が出力されている間に、報知音用データを受信して当該データを記憶することができるため、報知音用データを受信できる状態に設定する受信スイッチを設ける必要がなくなり、その分操作の手間が省け、使用者は簡易な操作で報知音を報知時計４００に記憶させることができる。【選択図】図２
2008032423.tif 000002
【特許請求の範囲】
【請求項１】
端末から転送される第１の報知音用データを記憶部に記憶する報知時計であって、
予め前記記憶部に記憶される第２の報知音用データを報知音として出力している間に、前記第１の報知音用データが転送された場合に、前記第１の報知音用データを前記記憶部に記憶する制御部を有することを特徴とする報知時計。
【請求項２】
前記制御部は、前記第２の報知音用データを報知音として出力している間に、前記第１の報知音用データが転送された場合、前記第２の報知音用データを前記第１の報知音用データに書き換えることを特徴とする請求項１に記載の報知時計。
【請求項３】
前記制御部は、前記第１の報知音用データが前記記憶部に記憶された場合に、前記第２の報知音用データによる出力中の報知音を停止し、前記記憶部に記憶された前記第１の報知音用データを報知音として出力することを特徴とする請求項１または２に記載の報知時計。
【請求項４】
前記記憶部は、前記第１または第２の報知音用データを記憶するための記憶領域を有し、
前記制御部は、前記記憶領域に前記第１の報知音用データを記憶するだけの空き領域がある場合に、前記第２の報知音用データを書き換えずに、前記第１の報知音用データを記憶し、当該第１の報知音用データを報知音として出力することを特徴とする請求項２または３に記載の報知時計。
【請求項５】
前記制御部は、前記報知音の出力が停止することにより、報知音用データの記憶または書換の、続行または停止を判断することを特徴とする請求項１から４のいずれか１項に記載の報知時計。
【請求項６】
前記制御部は、前記第２の報知音用データを報知音として出力している間に、端末から報知音用データ消去命令が転送された場合、前記第２の報知音用データを消去することを特徴とする請求項１から５のいずれか１項に記載の報知時計。
【請求項７】
端末から転送される第１の報知音用データを記憶する報知音用データ記憶方法であって、
予め前記記憶部に記憶される第２の報知音用データを報知音として出力している間に前記第１の報知音用データが転送された場合に、前記第１の報知音用データを前記記憶部に記憶することを特徴とする報知音用データ記憶方法。
【請求項８】
前記報知音用データ記憶方法において、
前記第２の報知音用データを報知音として出力している間に、前記第１の報知音用データが転送された場合に、前記第２の報知音用データを前記第１の報知音用データに書き換えることを特徴とする請求項７に記載の報知音用データ記憶方法。
【請求項９】
端末と、前記端末にネットワークを介して接続され、前記端末に第１の報知音用データを送信する報知音用データ提供サーバと、前記端末から転送された、前記第１の報知音用データを記憶部に記憶する報知時計と、を備える報知音用データ記憶システムであって、
前記報知時計は、
前記記憶部に予め記憶される第２の報知音用データを報知音として出力している間に、前記第１の報知音用データを受信する場合に、前記第１の報知音用データを前記記憶部に記憶する制御部を有する、
ことを特徴とする報知音用データ記憶システム。
【請求項１０】
前記制御部は、
前記第２の報知音用データを報知音として出力している間に、前記第１の報知音用データを受信する場合に、前記第２の報知音用データを前記第１の報知音用データに書き換える、
ことを特徴とする請求項９に記載の報知音用データ記憶システム。
【発明の詳細な説明】
【技術分野】
【０００１】
本発明は、報知時計に関し、特に報知音の記憶操作に煩わしさを感じない報知時計に関する。
【背景技術】
【０００２】
電子レンジ、エアコン、風呂の湯沸し器等の電子機器等から出力される報知音を、使用者の所望の音声や音楽等に変更する技術が知られている。例えば、特許文献１では、音楽コンテンツを配信する音楽コンテンツ配信システムから音楽コンテツを携帯電話等にダウンロードし、当該音楽コンテンツを対象となる電子機器に転送することで、使用者は電子機器の報知音を変更することができる。
【０００３】
また、特許文献２や特許文献３では、使用者がインターネット上に配置される目覚まし音データ提供サーバから目覚まし音データを携帯電話にダウンロードし、当該目覚まし音データを携帯電話から目覚まし時計に転送することで、目覚まし音を変更するようにしている。
【特許文献１】特開２００６−５３２８１号公報
【特許文献２】特開２００４−２３３３１６号公報
【特許文献３】特開２００３−９０８８９号公報
【発明の開示】
【発明が解決しようとする課題】
【０００４】
ところで、上述した電子機器や目覚まし時計等には、一般的に、記憶される報知音を試聴するための試聴用スイッチ、外部からの報知音用データを受信できる状態にしたり、遮断したりするための受信スイッチ、報知音の音を出したり、消したりするためのアラームスイッチ等、が形成されている。
【０００５】
報知音を変更しようとする使用者は、まず、試聴用スイッチを操作して報知音を出力し、変更しても問題がないかを確認し、次に、受信スイッチを操作して報知音用データを受信できる状態とし、携帯電話から所望の報知音用データを報知時計に転送し、最後に、報知時計に記憶される報知音が所望の報知音に書き換えられたかを試聴用スイッチを操作して、報知音を出力して確かめる必要がある。
【０００６】
しかしながら、このような操作に使用者は煩わしさを感じる場合もあり、簡易な操作により報知音を変更できることが望ましい。本発明はこのような問題に鑑みてなされたものであり、簡易な操作で報知音を記憶する報知時計、報知音用データ記憶方法、報知音用データ記憶システムを提供する。
【課題を解決するための手段】
【０００７】
上述した問題を解決するために、本発明の報知時計は、端末から転送される第１の報知音用データを記憶部に記憶する報知時計であって、予め記憶部に記憶される第２の報知音用データを報知音として出力している間に、第１の報知音用データが転送された場合に、第１の報知音用データを記憶部に記憶する制御部を有することを特徴としている。
この構成によれば、報知時計から報知音が出力されている間に、報知音用データを受信して当該データを記憶することができるため、受信スイッチを設ける必要がなくなり、その分操作の手間が省け、使用者は簡易な操作で報知音を報知時計に記憶させることができる。
【０００８】
また、本発明の制御部は、第２の報知音用データを報知音として出力している間に、第１の報知音用データが転送された場合、第２の報知音用データを第１の報知音用データに書き換えるという構成をとることができる。
この構成によれば、報知時計から報知音が出力されている間に、報知音用データを受信して当該データに書き換えることができるため、受信スイッチを設ける必要がなくなり、その分操作の手間が省け、使用者は簡易な操作で報知音用データを変更することができる。
【０００９】
また、本発明の制御部は、第１の報知音用データが記憶部に記憶された場合に、第２の報知音用データによる出力中の報知音を停止し、記憶部に記憶された第１の報知音用データを報知音として出力することを特徴としている。
この構成によれば、第２の報知音用データが第１の報知音用データに書き換えられたということを、使用者は報知時計から出力される報知音によって認識することができる。
【００１０】
また、本発明の記憶部は、第１または第２の報知音用データを記憶するための記憶領域を有し、制御部は、記憶領域に第１の報知音用データを記憶するだけの空き領域がある場合に、第２の報知音用データを書き換えずに、第１の報知音用データを記憶し、当該第１の報知音用データを報知音として出力することを特徴としている。
この構成によれば、記憶部に空き領域がある場合、当該空き領域に第１の報知音用データを記憶するため、予め記憶される第２の報知音用データを書き換えないで済む。
【００１１】
また、本発明の制御部は、報知音の出力が停止することにより、報知音用データの記憶または書換の、続行または停止を判断することを特徴としている。
この構成によれば、報知時計から報知音が出力されなければ、報知音用データの記憶または書換えが行われないため、報知音用データを受信できる状態にしたり、遮断する状態にしたりする操作が必要なくなる。
【００１２】
また、本発明の制御部は、第２の報知音用データを報知音として出力している間に、端末から報知音用データ消去命令が転送された場合、第２の報知音用データを消去することを特徴としている。
この構成によれば、報知時計から報知音が出力されている間に、報知音用データ消去命令を受信して当該データを消去することができるため、消去スイッチを設ける必要がなくなり、その分操作の手間が省け、使用者は簡易な操作で報知音用データを消去することができる。
【００１３】
また、本発明の報知音用データ記憶方法は、端末から転送される第１の報知音用データを記憶する報知音用データ記憶方法であって、予め記憶部に記憶される第２の報知音用データを報知音として出力している間に第１の報知音用データが転送された場合に、第１の報知音用データを記憶部に記憶することを特徴としている。
この構成によれば、報知時計から報知音が出力されている間に、報知音用データを受信して当該データを記憶することができるため、受信スイッチを設ける必要がなくなり、その分操作の手間が省け、使用者は簡易な操作で報知音を変更することができる。
【００１４】
また、本発明の報知音用データ記憶方法は、第２の報知音用データを報知音として出力している間に、第１の報知音用データを受信する場合に、第２の報知音用データを第１の報知音用データに書き換えるという構成をとってもよい。
この構成によれば、報知時計から報知音が出力されている間に、報知音用データを受信して当該データに書き換えることができるため、受信スイッチを設ける必要がなくなり、その分操作の手間が省け、使用者は簡易な操作で報知音を変更することができる。
【００１５】
また、本発明の報知音用データ記憶システムは、端末と、端末にネットワークを介して接続され、端末に第１の報知音用データを送信する報知音用データ提供サーバと、端末から転送された、第１の報知音用データを記憶部に記憶する報知時計と、を備える報知音用データ記憶システムであって、報知時計は、記憶部に予め記憶される第２の報知音用データを報知音として出力している間に、第１の報知音用データを受信する場合に、第１の報知音用データを記憶部に記憶する制御部を有する、ことを特徴としている。
この構成によれば、報知時計から報知音が出力されている間に、報知音用データを受信して当該データを記憶することができるため、受信スイッチを設ける必要がなくなり、その分操作の手間が省け、使用者は簡易な操作で報知音を変更することができる。
【００１６】
また、本発明の報知音用データ記憶システムの制御部は、第２の報知音用データを報知音として出力している間に、第１の報知音用データを受信する場合に、第２の報知音用データを第１の報知音用データに書き換えるという構成をとってもよい。
この構成によれば、報知時計から報知音が出力されている間に、報知音用データを受信して当該データに書き換えることができるため、受信スイッチを設ける必要がなくなり、その分操作の手間が省け、使用者は簡易な操作で報知音を変更することができる。
【発明の効果】
【００１７】
本発明によれば、報知音用データを簡易な操作で報知時計に記憶させることができ、使用者は記憶操作の煩わしさから解放される。
【発明を実施するための最良の形態】
【００１８】
以下、本発明の実施の形態について、図面を参照して具体的に説明する。
【００１９】
図１は、本発明の実施の形態に係る報知時計４００に報知音用データを転送する様子を示す概念図であり、図２は、携帯電話３００及び報知時計４００の機能ブロック図である。図１において、報知音用データ提供サーバ１００は、ＣＰＵ等の制御装置、フラッシュメモリ、ＳＲＡＭ(Static Random Access Memory)やＤＲＡＭ（Dynamic RAM）等の半導体記憶装置、ハードディスク等によって構成される。そして、報知音用データ提供サーバ１００は、インターネットやＬＡＮ（Local Area Network）等のネットワーク２００上に配置され、外部からのアクセスに応じて報知音用データを提供する機能を有する。
【００２０】
端末としての携帯電話３００は、図１に示すように、ネットワーク２００を経由して報知音用データ提供サーバ１００にアクセスし、報知音用データを取得（ダウンロード）すると共に、取得した報知音用データを報知時計４００に転送する機能を有する。携帯電話３００には、液晶ディスプレイ等の表示画面１０が形成され、携帯電話３００の動作状態を逐次表示する。また、携帯電話３００は、図２に示すように、報知音用データ提供サーバ１００からネットワーク２００経由でダウンロードされる所望の報知音用データを受信する電波受信部１と、電波受信部１に接続され、当該報知音用データを記憶する記憶部３とを備える。電波受信部１はアンテナ２等で形成され、無線通信によって報知音用データを受信する機能を有する。また、記憶部３は、フラッシュメモリ、ＳＲＡＭ(Static Random Access Memory)やＤＲＡＭ（Dynamic RAM）等の半導体記憶装置によって構成される。
【００２１】
携帯電話３００は、図２に示すように、記憶部３に記憶される報知音用データを報知時計４００に送信したり、送信された報知音用データが報知時計で受信できずに、報知時計４００から受信エラーとして送信されるエラーデータを受信したりするＩｒ送受信部５を有する。Ｉｒ送受信部５は、ＬＥＤ（Light Emitting Diode：発光ダイオード）等の発光素子およびフォトダイオード等の受光素子によって構成され、ＩｒＤＡ（InfraRed Data Association）等で規格化された赤外線通信によって報知時計４００と送受信が行われる。そして、電波受信部１、記憶部３、Ｉｒ送受信部５は、マイコン等の制御部７あるいはそこで実行されるプログラムにより制御される。
【００２２】
次に、報知時計４００について説明する。報知時計４００は、例えば、目覚まし時計等、報時機能を有する時計であり、図１に示すように、携帯電話３００から転送される報知音用データを受信する。より詳しくは、図２に示すように、携帯電話３００から転送される報知音用データを受信したり、当該受信に失敗した場合におけるエラーデータを送信したりするＩｒ送受信部９と、Ｉｒ送受信部９に接続され、当該報知音用データを記憶する記憶部１１とを備える。
【００２３】
Ｉｒ送受信部９はＬＥＤ等の発光素子およびフォトダイオード等の受光素子で構成され、赤外線などの無線通信によって携帯電話３００と送受信が行われる。記憶部１１は、携帯電話３００と同様、フラッシュメモリ、ＳＲＡＭ(Static Random Access Memory)やＤＲＡＭ（Dynamic RAM）等の半導体記憶装置によって構成され、受信した報知音用データを一時的に記憶するバッファメモリ１３と、バッファメモリ１３に記憶される報知音用データを所定の条件に基づきコピーして記憶する報知音用データ記憶領域１５とを有する。
【００２４】
上述したＩｒ送受信部９及び記憶部１１は、それぞれマイコン等の制御部１７あるいはそこで実行されるプログラムにより制御される。より詳しくは、制御部１７は、報知音制御部１９と時刻制御部２１とを有し、報知音制御部１９がＩｒ送受信部９及び報知音用データ記憶領域１５を制御する。
【００２５】
一方、上述した時刻制御部２１は、報知音制御部１９及び時刻表示部２９を制御する機能を有する。時刻表示部２９は、長針、短針、秒針等から構成されるアナログ表示や、デジタル表示等、時刻を表示する機能を有する。したがって、時刻制御部２１は、これらの表示機能を動作させるムーブメントとしての役割を果たす。
【００２６】
また、報知時計４００は、増幅部２３と、増幅された報知音用データを報知音として出力する報知音出力部２５とを有する。増幅部２３は例えば増幅回路によって構成される。報知音制御部１９は報知音用データ記憶領域１５から予め記憶されている報知音用データを抽出し、さらに当該報知音用データに基づいてアナログ信号を生成する。生成されたアナログ信号は増幅部２３に入力され、報知音出力部２５から出力される。報知音出力部２５は、例えばスピーカ等によって構成される。
【００２７】
なお、時刻制御部２１には、報知時刻設定部２７が接続される。報知時刻設定部２７は、報知時刻を設定する機能を有し、報知時刻設定部２７で設定された報知時刻によって時刻制御部２１が報知音制御部１９を動作させる。すなわち、報知時刻設定部２７によって設定された時刻に、時刻制御部２１が報知音制御部１９を動作させ、報知時計４００が報知音を出力することになる。
【００２８】
試聴用スイッチ３１は、報知時刻およびアラームスイッチ３３の状態に関わらず、報知時計４００に報知音を出力させる機能を有する。具体的には、試聴用スイッチ３１は、報知音制御部１９に接続され、当該スイッチが押下されることによって、報知音制御部１９が報知音用データ記憶領域１５に記憶される報知音用データを抽出し、当該報知音用データを報知音として報知音出力部２５から出力する。なお、試聴用スイッチ３１は、押下されるたびに、報知音用データ記憶領域１５に記憶される報知音用データを順々に報知音として出力する。このため、報知時計４００が一つの報知音を出力している間に、試聴用スイッチ３１を押下された場合、報知時計４００は、出力中の報知音を停止し、次に記憶される報知音用データの報知音を出力することになる。
【００２９】
アラームスイッチ３３は、報知音を出したり、消したりするスイッチである。アラームスイッチがＯＮとなっている場合には、報知時刻設定部２７によって設定された時刻に報知時計４００から報知音が出力されるが、アラームスイッチ３３がＯＦＦとなっている場合には、報知時刻設定部２７によって設定された時刻になっても報知時計４００から報知音は出力されない。報知音を止めたい使用者は、アラームスイッチ３３をＯＦＦとすればよい。
【００３０】
なお、試聴用スイッチ３１を押下されて報知音が出力されている状態で、報知音の出力を途中で中止したい場合には、アラームスイッチ３３をＯＮ状態からＯＦＦ状態にすればよい。仮にアラームスイッチ３３がＯＦＦの状態の時に試聴用スイッチ３１が押下されて報知音が出力されている場合に、途中で試聴を中止したい時は、アラームスイッチ３３をＯＦＦからＯＮの状態にし、改めてアラームスイッチ３３をＯＦＦの状態にすればよい。
【００３１】
次に、携帯電話３００の報知音用データ取得から転送までの動作について図３に示すフローチャートを参照して説明する。
【００３２】
まず、報知音用データの取得について説明する。使用者は携帯電話３００を操作して、報知音用データ提供サーバ１００から所望の報知音用データを携帯電話３００にダウンロードする必要がある。このため、まず、制御部７は、使用者からの操作に基づき、報知音用データをダウンロードするためのアプリケーションソフトウェアを起動する（Ｓ１）。そして、制御部７は、アプリケーションソフトウェアによってダウンロードされた複数の報知音用データの曲名を携帯電話３００の表示画面１０に表示し、使用者からの選択指示入力を待機する（Ｓ２）。
【００３３】
次に、使用者からの選択指示入力に応じて、制御部７は、試聴用の報知音用データを携帯電話３００にダウンロードし、携帯電話３００に形成される図示しないスピーカから報知音として出力する（Ｓ３）。使用者によっては、試聴した報知音を好まず、他の報知音を試聴したい場合もあるので、制御部７は、使用者から試聴した報知音以外の報知音を試聴した旨の決定を検出した場合には（Ｓ４：Ｎｏ）、Ｓ２の処理に戻り、再度、使用者からの選択支持入力を待機する。一方、制御部９が当該報知音用データをダウンロードする旨の決定を検出した場合には（Ｓ４：Ｙｅｓ）、正式な報知音用データを携帯電話３００にダウンロードし（Ｓ５）、当該報知音用データを記憶部３に記憶する。
【００３４】
続いて、報知音用データの転送について説明する。報知音用データを報知時計４００に転送する旨の操作が使用者から携帯電話３００に行われた場合、制御部７は、当該報知音用データを報知時計４００に転送する（Ｓ６）。報知音用データの転送が完了した場合には（Ｓ７：Ｙｅｓ）、制御部７は、転送処理を終了するが、例えば、報知時計４００から受信エラー等を示すエラーデータが携帯電話３００に送信され、転送が完了しなかった場合には（Ｓ７：Ｎｏ）、制御部７は、使用者に再転送するか否かについての要求を表示画面に表示する（Ｓ８）。そして、制御部７が使用者から再転送する旨の決定を検出した場合には（Ｓ８：Ｙｅｓ）、再度、Ｓ６の処理に戻り、転送処理を試みるが、使用者から再転送をしない旨の決定を検出した場合には（Ｓ８：Ｎｏ）、報知音用データの転送を中止し（Ｓ９）、転送処理を終了する。
【００３５】
次に、報知音用データが転送される報知時計４００の動作について図４に示すフローチャートを参照して説明する。
【００３６】
報知時計４００は、報知音の出力中に携帯電話３００から報知音用データが転送されて、報知音用データの書換処理を行う。そのため、報知音用データの書換処理を行うには、まず、報知音を出力させる必要がある。したがって、まず、使用者から試聴用スイッチ３１が押下されると、制御部１７が試聴用スイッチ３１の押下を検出する（Ｓ１１）。これに伴って、報知音制御部１９は報知音用データ記憶領域１５から予め記憶されている報知音用データを抽出し、さらに当該報知音用データに基づいたアナログ信号を生成した後、当該アナログ信号を増幅部２３に入力する。そして、当該アナログ信号は増幅部２３によって増幅され、報知音出力部２５から出力されることになる（Ｓ１２）。報知音用データの試聴は、アラームスイッチ３３の状態に関わらず可能である。
【００３７】
ここで、使用者が、報知時計４００から出力される報知音の書き換えを望まない場合、再度、試聴用スイッチ３１を押下することで、報知音用データ記憶領域１５に記憶される他の報知音用データを出力させることができる。すなわち、制御部１７は、報知時計４００が報知音を出力している間に、試聴用スイッチ３１が押下されたことを検出すると（Ｓ１３：Ｙｅｓ）、Ｓ１２の処理に戻り、他の報知音を出力する。
【００３８】
使用者が、報知時計４００から出力される報知音の書換えを望む場合であって、報知音が出力されている間に、アラームスイッチ３３がＯＦＦにセットされた場合には（Ｓ１４：Ｙｅｓ）、制御部１７は、その旨を検出し、書換処理を終了する。このように、報知音の出力時にデータの書換え処理を行うようにしたので、報知音用データを受信できる状態にしたり、遮断する状態にしたりする操作が必要なくなる。なお、アラームスイッチ３３がＯＦＦ状態で書換え処理を開始した場合に、報知音が出力されている途中で書換え処理を中止したい場合には、アラームスイッチをいったんＯＮにし、改めてＯＦＦ状態にすればよい。
【００３９】
アラームスイッチ３３のＯＦＦが検出されなかった場合（Ｓ１４：Ｎｏ）、次に、制御部１７は、報知時計４００から報知音が出力されているか否かを検出する。そして、報知時計４００から報知音が出力されていない場合（Ｓ１５：Ｙｅｓ）、すなわち、報知音が既に鳴り終わってしまった場合、制御部１７は報知音用データの書換処理を終了する。したがって、報知音が鳴り終わるまでに、使用者は携帯電話３００から報知音用データの転送処理をする必要がある。本実施の形態においては報知音用データの演奏時間は数十秒程度である。一方、転送時間は数秒程度であり、容易に報知音が鳴り終わるまでに報知音用データの転送処理を実行することが可能である。なお報知音用データの演奏中に書換え用の報知音用データを受信した場合に限り、演奏終了後も書換え処理を続行するようにしても良い。このように、報知時計４００から報知音が出力されていなければ、報知音用データの書換えを行えなくすることで、報知音用データを受信できる状態にしたり、遮断する状態にしたりする操作が必要なくなる。
【００４０】
報知時計４００が報知音を出力している間に、制御部１７が、携帯電話３００からの報知音用データの受信に成功した場合には（Ｓ１６：Ｙｅｓ）、当該報知音用データを記憶部１１のバッファメモリ１３に記憶する（Ｓ１７）。一方、報知音用データの受信に成功しなかった場合には（Ｓ１６：Ｎｏ）、受信エラーを示すエラーデータを携帯電話３００に送信する（Ｓ２３）。
【００４１】
ここで、制御部１７は、記憶部１１の報知音用データ記憶領域１５の空き領域を確認し、バッファメモリ１３に記憶される報知音用データをどの領域に設定するか決定する。つまり、当該報知音用データを記憶するだけの空き領域がない場合には（Ｓ１８：Ｎｏ）、制御部１７は、報知時計４００から出力されている報知音の報知音用データを書き換えるように上書き設定する。一方で、報知音用データ記憶領域１５に、バッファメモリ１３に記憶される報知音用データを記憶するだけの空き領域がある場合には（Ｓ１８：Ｙｅｓ）、当該空き領域に書込設定する（Ｓ２２）。
【００４２】
そして、制御部１７は、どの記憶領域に設定するかを決定した後、報知音用データをバッファメモリ１３から報知音用データ記憶領域１５にコピーして（Ｓ２０）、コピーされた報知音用データを報知音として報知音出力部２５から出力する。
【００４３】
上述したＳ１８、Ｓ１９及びＳ２１の処理について図５及び図６を参照してさらに詳しく説明する。
【００４４】
図５は、報知音用データ記憶領域１５に空き領域がない場合の書換えを示す概念図であり、図４に示すＳ１８の処理でＮｏと判定され、Ｓ１９の処理を行う場合に該当する。図５（ａ）に示すように、バッファメモリ１３には「報知音用データ７」が記憶される。そして、報知音用データ記憶領域１５には、「報知音用データ１」〜「報知音用データ６」が記憶され、他の報知音用データが記憶されるだけの空き領域がない状態を示す。
【００４５】
このような状態において、「報知音用データ４」の報知音が出力されている間に、「報知音用データ７」の書換処理を行う場合、制御部１７は、出力されている「報知音用データ４」に対して、「報知音用データ７」を上書き設定し、上書き処理をする。その結果、図５（ｂ）に示すように、報知音用データ記憶領域１５に記憶されていた「報知音用データ４」が、「報知音用データ７」に書き換わった状態で、報知音用データ記憶領域１５に記憶され、新たに、「報知音用データ７」の報知音が出力されることになる。
【００４６】
また、図６は、報知音用データ記憶領域１５に空き領域３５がある場合の書換えを示す概念図であり、図４に示すＳ１８の処理でＹｅｓと判定され、Ｓ２２の処理を行う場合に該当する。図６（ａ）に示すように、バッファメモリ１３には「報知音用データ４」が記憶される。そして、報知音用データ記憶領域１５には、「報知音用データ１」〜「報知音用データ３」が記憶され、他の報知音用データが記憶されるだけの空き領域３５がある状態を示す。
【００４７】
このような状態において、「報知音用データ３」の報知音が出力されている間に、「報知音用データ４」の書換処理を行う場合、制御部１７は、出力されている「報知音用データ３」に対しては、「報知音用データ４」の上書き設定を行わず、空き領域３５に対して書込処理をする。その結果、図６（ｂ）に示すように、報知音用データ記憶領域１５に記憶されていた「報知音用データ３」は、「報知音用データ４」に書き換わらず、空き領域３５に「報知音用データ４」が書き込まれた状態で、報知音用データ記憶領域１５に記憶され、新たに、「報知音用データ４」の報知音が出力されることになる。
【００４８】
上述したように、報知時計４００によれば、報知音が出力されている間に、当該報知音の報知音用データの書換えができる。したがって、従来のように、試聴用スイッチを操作して上書きしたい報知音を試聴した後、受信スイッチを操作して報知音用データを受信し、当該報知音用データに書換えるという煩わしさから使用者は解放されることになる。そして、報知音用データが書き換えられたか否かについては、従来では、再度試聴用スイッチを押下して報知時計から報知音を出力させていたが、報知音データの書換えが完了していれば、書換え後の報知音が報知時計４００から自動的に出力されるため、試聴用スイッチを再度押下するという操作が不要となる。
【００４９】
また、報知音用データ記憶領域１５に、携帯電話３００から転送される報知音用データが記憶されるだけの空き領域があるか否かによって、出力中の報知音の報知音用データを書き換えるか否かの選択が自動的に行うことができ、報知時計４００に記憶される報知音用データを、敢えて消す必要がなくなる。
【００５０】
これまで説明してきた報知音用データの書換えにおいては報知音用データは全て同じファイルサイズであった。例えば図５における報知音用データ７と報知音用データ４のファイルサイズは同一である。これは、例えば演奏時間が同じということであり、図５に示すその他の報知音用データについても同様に同じファイルサイズである。仮にこれらの報知音用データより長時間の演奏を行う報知音用データを記憶させたいとすると、そのファイルサイズは例えば報知音用データ７より大きくなる。従って、例えば報知音用データ７の領域にそれより長時間演奏させるための報知音用データを書き込むことはできない。
【００５１】
この長時間演奏させるための報知音用データのファイルサイズが報知音用データ１と２を合わせたファイルサイズよりは小さかったと仮定すると、報知音用データ１と２を両方消去してしまえば長時間演奏させるための報知音用データを記憶するのに必要な空き領域を報知音用データ記憶領域１５に確保することができる。
【００５２】
例えば次のようにすれば報知音用データを消去することが可能である。すなわち携帯電話３００を用いて報知音用データ提供サーバ１００にアクセスし、報知音用データを取得（ダウンロード）する際に例えばデータ消去という項目をダウンロードする。この項目の内容は実際にはデータ消去命令である。そしてダウンロードした内容を本実施の形態に示した手順で報知時計４００に転送すればよい。
【００５３】
本実施の形態で示したように、報知音用データを書き換える場合には適当な報知音用データを選択してから書き換えたい報知音用データを転送したが、これと同様に消去したい報知音用データを選択してデータ消去命令を転送すると制御部１７がデータ消去を実行するようにすれば選択した報知音用データを消去することができる。報知音を消去した後には、例えばビープ音などを鳴らして消去が完了したことを使用者に知らせても良い。このようにすることで、データ消去用のスイッチを新たに設けることなくデータの消去を実現することが可能である。
【００５４】
また、報知音用データを書き換え中に報知音用データ記憶領域１５の空き容量が不足しているということが判明した場合には、報知音用データの書き込みを中断し、ビープ音等で使用者にエラーが発生したことを知らせてもよい。また、このとき、空き容量を確保するためにさらに報知音用データを消去するようにしてもよい。
【００５５】
また、本実施の形態において、携帯電話を端末の例として用いたが図２に示すように電波受信部１、アンテナ２、記憶部３、制御部７、Ｉｒ送受信部５を最小構成として備えていれば、端末はどのような機器であってもよい。
【００５６】
なお、本発明は、上述した実施形態に限定されるものではなく、その要旨を逸脱しない範囲内で種々変形して実施することが可能である。
【産業上の利用可能性】
【００５７】
以上、説明したように、報知音用データを簡易な操作で記憶させることができ、使用者は記憶操作の煩わしさから解放されるため、産業上の利用可能性が高い。
【図面の簡単な説明】
【００５８】
【図１】報知時計に報知音用データを転送する様子を示す概念図である。
【図２】携帯電話及び報知時計の機能ブロック図である。
【図３】報知音用データの受信から転送までの携帯電話の動作を示すフローチャートである。
【図４】報知音用データを受信する際の報知時計の動作を示すフローチャートである。
【図５】報知音用データ記憶領域に空き領域がない場合の書換えを示す概念図である。
【図６】報知音用データ記憶領域に空き領域がある場合の書換えを示す概念図である。
【符号の説明】
【００５９】
１  電波受信部
２  アンテナ
３、１１  記憶部
５、９  Ｉｒ送受信部
７、１７  制御部
１３  バッファメモリ
１５  報知音用記憶領域
１９  報知音制御部
２１  時刻制御部
２３  増幅部
２５  報知音出力部
２７  報知時刻設定部
２９  時刻表示部
３１  試聴用スイッチ
３３  アラームスイッチ
３５  空き領域
１００  報知音用データ提供サーバ
２００  ネットワーク
３００  携帯電話
４００  報知時計
【図１】
2008032423.tif 000003
【図２】
2008032423.tif 000004
【図３】
2008032423.tif 000005
【図４】
2008032423.tif 000006
【図５】
2008032423.tif 000007
【図６】
2008032423.tif 000008